(57)【特許請求の範囲】
【請求項１】
クランク軸に固定された固定半体と、上記固定半体に対向してクランク軸上においてクランク軸方向にスライド可能に設けられた可動半体とからなる駆動プーリを備え、
上記可動半体は、Ｖベルトを保持する傘状のフランジ部と筒状のボス部とからなり、該ボス部に、クランク軸からの駆動トルクが伝達される軸方向ガイド溝を備え、
上記ボス部のガイド溝と、クランク軸に固定される円筒状スリーブに形成されたキー溝とに、クランク軸の駆動トルクを可動半体に伝達するトルク伝達キーが嵌合保持されたＶベルト式自動変速機において、
上記キー溝は軸方向断面にて円弧状に形成され、
上記ボス部のガイド溝はボス部を半径方向に貫通する溝であり、
上記トルク伝達キーは、その径方向外側に頂面を有し、その両側面が平坦部とされて上記ガイド溝に係合し、該ガイド溝に対し軸方向に相対移動可能とされ、
上記トルク伝達キーは、上記キー溝に嵌る側が軸方向断面にて半月形に形成され、
上記ボス部の外周に円筒状の支持筒が上記ガイド溝の径方向外側開口を覆って装着され、上記ボス部のガイド溝の外側開口と上記トルク伝達キーの頂面とはほぼ一致している
ことを特徴とするＶベルト式自動変速機。
【請求項２】
上記キー溝は、クランク軸軸線方向断面にて、上記トルク伝達キーの半月形を囲むように円弧状にされていることを特徴とする請求項１に記載のＶベルト式自動変速機。
【請求項３】
上記トルク伝達キーの頂面がクランク軸軸線方向の母線を有する湾曲面で形成されたラウンドキーであることを特徴とする請求項１または請求項２に記載のＶベルト式自動変速機。
【請求項４】
上記Ｖベルト式無段変速機は、電動モータの回転動力によって上記駆動プーリ可動半体をクランク軸方向にスライドさせることによって変速されることを特徴とする請求項１乃至３に記載のＶベルト式自動変速機。
【発明の詳細な説明】
【技術分野】
【０００１】
本発明はＶベルト式自動変速機に関するものであり、特に、駆動プーリ可動半体のクランク軸への組付けに関するものである。
【背景技術】
【０００２】
内燃機関運転中に、燃焼による急激な圧力上昇によって上死点付近にあるピストンに大きい力が加わり、クランク軸がその軸受け部を支点とした微少な歪みによりクランク軸先端部が振れ回りする。従来のＶベルト式自動変速機においては、クランク軸に対する駆動プーリの可動半体の回り止めが、周囲部の全周にわたって複数個設けてあった（例えば、特許文献１参照。）。この構成では、クランク軸の振れ挙動によって、何れかの回り止めにて騒音が発生する。
【０００３】
【特許文献１】実用新案登録第２６００５００号公報（図３）。
【発明の開示】
【発明が解決しようとする課題】
【０００４】
本発明は、クランク軸の振れ挙動がある時の駆動プーリ可動半体における回り止めから発生する騒音を低減しようとするものである。
【課題を解決するための手段】
【０００５】
本発明は上記課題を解決したもので、請求項１に記載の発明は、
クランク軸に固定された固定半体と、上記固定半体に対向してクランク軸上においてクランク軸方向にスライド可能に設けられた可動半体とからなる駆動プーリを備え、
上記可動半体は、Ｖベルトを保持する傘状のフランジ部と筒状のボス部とからなり、該ボス部に、クランク軸からの駆動トルクが伝達される軸方向ガイド溝を備え、
上記ボス部のガイド溝と、クランク軸に固定される円筒状スリーブに形成されたキー溝とに、クランク軸の駆動トルクを可動半体に伝達するトルク伝達キーが嵌合保持されたＶベルト式自動変速機において、
上記キー溝は軸方向断面にて円弧状に形成され、上記ボス部のガイド溝はボス部を半径方向に貫通する溝であり、上記トルク伝達キーは、その径方向外側に頂面を有し、その両側面が平坦部とされて上記ガイド溝に係合し、該ガイド溝に対し軸方向に相対移動可能とされ、上記トルク伝達キーは、上記キー溝に嵌る側が軸方向断面にて半月形に形成され、上記ボス部の外周に円筒状の支持筒が上記ガイド溝の径方向外側開口を覆って装着され、上記ボス部のガイド溝の外側開口と上記トルク伝達キーの頂面とはほぼ一致していることを特徴とするＶベルト式自動変速機である。
【０００６】
請求項２に記載の発明は、請求項１に記載のＶベルト式自動変速機において、上記キー溝は、クランク軸軸線方向断面にて、上記トルク伝達キーの半月形を囲むように円弧状にされていることを特徴とする。
【０００７】
請求項３に記載の発明は、請求項１又は請求項２に記載のＶベルト式自動変速機において、
上記トルク伝達キーの頂面がクランク軸軸線方向の母線を有する湾曲面で形成されたラウンドキーであることを特徴とするものである。
【０００８】
請求項４に記載の発明は、請求項１乃至請求項３に記載のＶベルト式自動変速機において、
上記Ｖベルト式無段変速機は、電動モータの回転動力によって上記駆動プーリ可動半体をクランク軸方向にスライドさせることによって変速されることを特徴とするものである。
【発明の効果】
【００１０】
請求項１の発明において、
可動プーリのボス部は、電動モータでスライドさせるので、軸方向に長くなっているが、トルク伝達キーの側面に軸方向に延びる平坦部が形成され、ガイド溝の側面にキーの全長にわたって当接するので、騒音の発生を抑制することができる。
また、トルク伝達キーの、キー溝の底に嵌る側が半月形に形成されているので、キー溝に挿入する時に、接触面が徐々に増加することになり、キー溝に嵌合させる際に挿入しやすい。キー溝の圧入しめしろを多く取れるので、ガタツキが生じにくく、騒音の発生を抑制することができる。仮にガタツキが生じてもキー形状が半月形なので、スリーブとの接触面積が小さいため、騒音が小さい。
【００１１】
請求項２の発明において、
キー溝の底面がトルク伝達キーの半月面を囲むように傾斜しているので、キーがスリーブに確実に固定され、ガタツキが生じにくく、騒音を低減することができる。
【００１２】
請求項３の発明において、
トルク伝達キーとその外周側部材とが１本の母線で当接するので、騒音が更に低減する。
【発明を実施するための最良の形態】
【００１３】
図１は本発明に係るパワーユニット１の側面図である。このパワーユニットはスクータ型自動二輪車の後部に上下揺動可能に搭載されるもので、駆動輪である後輪５の前方に配置される内燃機関２と動力伝達装置３と後輪支持部４と後輪５とを一体化して構成されている。内燃機関は頭上弁式４ストロークサイクル単気筒の水冷式内燃機関である。
【００１４】
このパワーユニット１の内燃機関２は、クランクケース６と、シリンダブロック７と、シリンダヘッド８と、シリンダヘッドカバー９とに囲まれた部分よりなり、クランクケース６の前端に略水平方向に指向したシリンダブロック７が結合され、同シリンダブロック７の前端にシリンダヘッド８が結合され、同シリンダヘッド８の前端にシリンダヘッドカバー９が結合されている。
【００１５】
図２は図１のＩＩ−ＩＩ断面図である。クランクケース６は左クランクケース６Ａ、右クランクケース６Ｂとからなっている。左右のクランクケース６Ａ、６Ｂに保持されたローラベアリング10Ａとボールベアリング10Ｂに、クランク軸11が回転可能に支持されている。一方、シリンダブロック７に形成されたシリンダ穴12にピストン13が摺動可能に嵌装されている。クランク軸11およびピストン13に、それぞれクランクピン14およびピストンピン15を介して、コンロッド16の両端が枢支されている。ピストン13が往復動すると、それに伴ってクランク軸11が回転する。ピストン13の端面に向き合うシリンダヘッド８の底面には燃焼室20が形成され、点火プラグ21が外部から装着され、その先端が上記燃焼室20に臨んでいる。
【００１６】
図１において、シリンダヘッド８の上側には上記燃焼室20に連なる吸気ポート22、シリンダヘッド８の下側には燃焼室20に連なる排気ポート23が形成されている。吸気ポート22の燃焼室側開口を開閉する吸気弁24と排気ポート23の燃焼室側開口を開閉する排気弁25が、シリンダヘッド８に摺動可能に嵌挿されている。
【００１７】
図２において、シリンダヘッド８とシリンダヘッドカバー９の間にクランク軸11と平行にカム軸26が支承され、カム軸26に設けられた吸気用カム27、排気用カム28によって、吸気弁24、排気弁25が開閉駆動される。クランク軸11の右部に設けられた駆動スプロケット30とカム軸26の端に設けられた従動スプロケット31との間に巻き掛けられた無端状チェーン32によって、カム軸26はクランク軸11によって、クランク軸11の１／２の回転数で、回転駆動される。
【００１８】
右クランクケース６Ｂの外側に右クランクケースカバー33が設けてあり、その内面に固定されたステータ34と、クランク軸11に固定され上記ステータ34を囲むロータ35とから、発電機36が構成されている。発電機36に隣接して設けてある従動歯車37は図示していないスタータモータからの回転駆動を受けるための歯車である。
【００１９】
パワーユニット１における動力伝達装置３の本体ケース38は、右変速機ケース39、左変速機ケース40および仕切り壁41から構成されている。右変速機ケース39は左クランクケース６Ａと一体に製作されている。左変速機ケース40と仕切り壁41は右変速機ケース39に結合されている。動力伝達装置３の本体ケース38自体は後輪支持部４を兼ねている。動力伝達装置３は、Ｖベルト変速機45と歯車減速機46とからなっている。Ｖベルト変速機45は、前半部が、左変速機ケース40と右変速機ケース39との間、後半部が、左変速機ケース40と仕切り壁41との間に設けられ、歯車減速機46は、仕切り壁41と右変速機ケース39との間に設けられている。
【００２０】
Ｖベルト変速機45の駆動軸は、クランク軸11そのものであり、同クランク軸11の左端部にＶベルト変速機45の駆動プーリ47が設けてある。駆動プーリ47は固定半体48と可動半体49とを備えて構成されている。Ｖベルト変速機45の従動軸50は、右変速機ケース39と仕切り壁41とに回転自在に支持されており、この従動軸50に遠心クラッチ51を介してＶベルト変速機40の従動プーリ52が設けてある。従動プーリ52は固定半体53と可動半体54とを備えて構成されている。駆動プーリ47と従動プーリ52とに無端状Ｖベルト55が架渡され、駆動プーリ47の回転が従動プーリ52に伝達される。従動プーリ52の回転数が所定回転数を越えると、従動プーリ52と従動軸50との間に設けられている遠心クラッチ51が接続状態となり、従動軸50が回転を始める。
【００２１】
歯車減速機46は３本の回転軸に設けられた歯車群によって構成されている。第１の軸は、右変速機ケース39と仕切り壁41とに支持されているＶベルト変速機45の従動軸50の右半部であり、小径歯車56が形成されている。第２の軸は、右変速機ケース39と仕切り壁41とに回転自在に支持されている中間軸57であり、上記従動軸50の小径歯車56に噛合う大径歯車58が一体に嵌着されるとともに、それに隣接して小径歯車59が形成されている。第３の軸は、仕切り壁41と右変速機ケース39と内燃機関本体に結合されているアーム62とに回転自在に支持されている後輪軸60であり、上記中間軸57の小径歯車59に噛合う大径歯車61が嵌着されている。この構成によって、従動軸50のトルクは、上記減速歯車群を介して減速されて後輪軸60に伝達される。後輪軸60には、後輪５が一体的に固定されている。
【００２２】
図３は駆動プーリ47とその駆動装置の断面展開図である。クランク軸11の左半部に段差11ａで区切られた小径部が形成され、そこにボールベアリング63が装着され、更に円筒状スリーブ64と駆動プーリ固定半体48とが、クランク軸端部のスプライン67に嵌合して装着され、クランク軸11端部のねじ11ｂにワッシャ65を介してナット66が螺着され締められる。これによって、円筒状スリーブ64と駆動プーリ固定半体48はクランク軸11に対して相対回転不可かつ軸線方向相対移動不可に固定される。上記スリーブ64には周方向の１箇所に円弧状に傾斜したキー溝68が設けられている。
【００２３】
駆動プーリ可動半体49は、上記固定半体に対向する傘状のフランジ部49ａと上記スリーブ64を囲む円筒状のボス部49ｂとからなっている。駆動プーリ可動半体49のボス部49ｂには周方向１箇所に、ボス部49ｂの半径方向に貫通し、かつ軸線方向に伸びるガイド溝69が設けてあり、そのガイド溝69と上記スリーブ64のキー溝68に係合するトルク伝達キー70が嵌挿されている。これによって、駆動プーリ可動半体49は、スリーブ64に対して、すなわちクランク軸11に対して、相対回転不可であるが、軸線方向には相対移動可能に装着される。
【００２４】
駆動プーリ可動半体49のボス部49ｂの外周に、円筒状の支持筒71が、相対回転可能であるが、上記ボス部49ｂに対して軸線方向相対移動不可に装着されており、これが上記可動半体ボス部49ｂのガイド溝69の外側開口を覆っている。
【００２５】
上記支持筒71の外周にはボールベアリング72の内輪が軸方向相対移動不可に装着され、その外輪は、スライドギヤ73の一端部の内周に軸方向相対移動不可に保持されている。スライドギヤ73は、ボールベアリング72を介して、支持筒71に対して相対回転可能に、したがって駆動プーリ可動半体49に対しても相対回転可能に、軸方向には相対移動不可に結合されている。すなわちスライドギヤ73と可動半体49とは、クランク軸方向には一体的に移動するが、回転方向には別個の動きをする。
【００２６】
上記クランク軸に装着されているボールベアリング63の外輪は、クランク軸11を同軸的に囲む円筒状ねじ軸74の内周に軸方向相対移動不可に保持されている。上記スライドギヤ73の他端内周のねじ部73ａが上記ねじ軸74の外周のねじ部74ａに螺合させてある。上記ねじ軸74には、ねじ軸固定板75が固着されている。ねじ軸固定板75の端部には円筒状の取付け筒76が設けてあり、これを防振ラバー77を介してボルト78で左クランクケース６Ａに固定することによって、上記円筒状ねじ軸74は、左クランクケース６Ａに対して、クランク軸方向移動不可、回転不可に位置決めされる。上記支持筒71、ボールベアリング72、スライドギヤ73、ねじ軸74、ねじ軸固定板75によって、駆動プーリ可動半体を軸方向に駆動するスライダー機構が構成されている。
【００２７】
上記スライドギヤ73は、アクチュエータ80によって回転駆動される。アクチュエータ80は、電動モータ81と歯車減速機構82とによって構成されている。上記電動モータ81は車速とスロットル開度と内燃機関の回転数に応じて自動的に回転が制御されるものである。左クランクケース６Ａに減速歯車ケース83が取り付けられ、減速歯車室84が形成されている。取付け板85を介して、電動モータ81が減速歯車ケース83に取付けられ、同モータの回転軸に刻設されたピニオン86が減速歯車室84の中に突入している。
【００２８】
上記ピニオン86に噛み合う大径歯車87と、これに隣接する小径歯車88とが一体に構成された第１中間歯車89が左クランクケース６Ａと減速歯車ケース83にボールベアリング90を介して回転可能に支持されている。
【００２９】
上記小径歯車88に噛み合う大径歯車91と、これに一体的に隣接する小径歯車92とが、回転軸93に嵌挿されて一体となっている第２中間歯車94が左クランクケース６Ａと減速歯車ケース83にボールベアリング95を介して回転可能に支持されている。上記小径歯車92は軸方向寸法が長い歯車で、この軸方向の任意の位置で、上記スライドギヤ73の噛合いが可能となっている。
【００３０】
上記第２中間歯車94の回転軸93の端部に歯車93ａが設けてあり、減速歯車ケース83に回転可能に設けられたストロークセンサ軸96の周囲部に設けられたウオーム96ａと噛み合っている。ストロークセンサ105（図１参照）は駆動プーリ可動半体49のストロークを検出するものである。
【００３１】
ねじ軸74はボルト78によって左クランクケースに固定されている。電動モータが始動していない時は、スライドギヤ73は静止している。内燃機関が運転されると、駆動プーリ固定半体48、駆動プーリ可動半体49、スリーブ64、トルク伝達キー70、支持筒71はクランク軸11とともに回転するが、ボールベアリング63、72の介在によって、ねじ軸74とスライドギヤ73は、クランク軸11の回転の影響を受けない。
【００３２】
電動モータ81が制御指令に応じて正方向に回転すると、第１、第２中間歯車89、94を経由して動力が伝達され、スライドギヤ73が回転し、ねじ軸74のねじ部74ａに噛み合っているスライドギヤ73のねじ部73ａの回転によって、スライドギヤ73自体がクランク軸11の軸方向へ移動し、ボールベアリング72と支持筒71を介して駆動プーリ可動半体49を押し、駆動プーリ固定半体48との間隔を狭め、Ｖベルトをトップ位置Ｔの方へ移動させる。電動モータ81が制御指令に応じて逆方向に回転すると、上記とは逆の過程によって、駆動プーリ固定半体48と駆動プーリ可動半体49との間隔が広がり、Ｖベルトはロー位置Ｌの方へ移動する。なお、スライドギヤ73のロー側ストッパ75ａはねじ軸固定板75の他端に設けてあり、スライドギヤ73のトップ側ストッパ97は左クランクケース６Ａにボルト98で固定してある。
【００３３】
図４は、トルク伝達キーに関する騒音発生のメカニズムの説明図である。図はピストン13が上死点にある状態を示している。ピストン13が上死点にある時には、燃料の燃焼による燃焼室の急激な圧力上昇によって、ピストン13の頂面に大きな力Ｆが加わる。この力はコンロッド16、クランクピン14を介してクランク軸11の中心部を下方へ押す。クランク軸11の中心部はごく僅かであるが撓み変形を起こす。これによってクランク軸11の両端部には、ベアリング10Ａ、10Ｂを支点とする跳ね上げモーメントＭが生じ、クランク軸の両端部は僅かであるが上方へ変位する。もし駆動プーリ可動半体49のトルク伝達キー70が１個であり、クランク軸軸線Ｃ−Ｃに関してクランクピン14と同じ側に設けてあるとすれば、クランク軸11の上記跳ね上げモーメントＭによる変位によって、トルク伝達キー70はクランク軸半径方向外方へ向けてスリーブ64のキー溝68の底面から伝達される反力Ｒによって突き上げられる。支持筒71の内面とトルク伝達キー70の外側面との間には、支持筒71と可動半体49のクランク軸軸方向摺動を可能とするために若干のクリアランスがあるので、反力Ｒによって突き上げられたトルク伝達キー70は支持筒71内面に当接して打音を発生する。したがって、トルク伝達キー70を、反力Ｒが加わらない側、即ちクランク軸軸線Ｃ−Ｃに関して、クランクピン14と反対側に設けるなら、打音の発生を低減することができる。
【００３４】
図５は本発明の実施形態のクランク軸11の左半部の断面図である。図において、駆動プーリ固定半体48は全体がアルミ合金製である。駆動プーリ可動半体49は、傘状のフランジ部49ａがアルミ合金製、中心のボス部49ｂがスチール製である。これは、あらかじめ製作されているボス部49ｂの端にフランジ部49ａが鋳造によって一体的に形成されたものである。スリーブ64、トルク伝達キー70、および支持筒71はスチール製である。本実施形態では、前述のように、騒音発生を低減することのできる一つの場合を実現するために、クランクピン14とトルク伝達キー70とはクランク軸11の軸線Ｃ−Ｃを挟んで反対側に設置される。
【００３５】
図６は、図５のＶＩ−ＶＩ断面図にクランクピン14の位置を示した図である。図６において矢印Ｐはクランク軸軸線Ｃに対するクランクピン14の方向を示している。またクランク軸軸線Ｃから放射状に伸びている線は、上記クランクピン方向Ｐを０度とし、クランク軸軸線Ｃを中心として、クランク軸回転方向Ｗに測った角度を示している。上記実施形態のキー溝68とガイド溝69とトルク伝達キー70は、クランク軸軸線Ｃに関して180度の位置に設けてある。即ち、駆動プーリ可動半体のボス部49ｂ、スリーブ64、支持筒71、およびトルク伝達キー70は、トルク伝達キー70がクランク軸11の軸線Ｃに関してクランクピン14とは反対の側に位置するように装着されている。
【００３６】
図７、図８はクランク軸周囲に於けるトルク伝達キー70の組付け位置に関する実験結果を示すレーダーチャートであって、矢印Ｐはクランク軸軸線Ｃに対するクランクピン14の方向を示し、クランク軸軸線Ｃから放射状に伸びている線は、上記クランクピンの方向Ｐを０度とし、クランク軸回転方向Ｗに測った角度を示している。図７は、クランク軸軸線Ｃに関する各方向のキー組付け位置に対する打音の高さ、即ち近接音圧（ｄＢ）の測定値を図示したものであって、測定結果の折れ線が図の中心Ｃから離れている程、打音が高く、図の中心Ｃに近い程打音が低いことを示している。また、図８は、各方向のトルク伝達キー組付け位置に対する音質を、観測者の聴覚によって評価した結果を図示したもので、折れ線が図の中心Ｃから離れている程、不快な音であり、図の中心Ｃに近い程、不快の程度が低い音であることを示している。実験結果の折れ線が各図に２本描いてある。これは図９に示す２種類のキー70ａ、70ｂに対応する折れ線を示している。
【００３７】
図９は、上記実験に用いた２種類のトルク伝達キー70の斜視図である。図（ａ）には、支持筒71の内面に当接するトルク伝達キー70の頂面ｈが平面状のフラットキー70ａ、図（ｂ）には、頂面ｈがクランク軸軸線方向の母線を有する湾曲面で形成されたラウンドキー70ｂを示してある。フラットキー70ａは、２本の側縁ｅ、ｅによって支持筒71の内面に当接し、ラウンドキー70ｂは１本の母線ｇによって支持筒71の内面に当接する。いずれの形状のトルク伝達キー70においても、その側面ｓは平坦面である。
【００３８】
上記図７、図８において、トルク伝達キー70の設置位置が３１５度、即ち、−４５度、の前後において騒音が大きくなっている。これは、ピストンが上死点を過ぎ、クランク軸が上死点位置から若干回転した時に、燃焼室圧力が最大となるため、トルク伝達キー設置位置が−４５度の付近となっている場合に、騒音が大となるものと推測される。
【００３９】
図６には、トルク伝達キー70をクランク軸軸線Ｃに関してクランクピン方向Ｐからクランク軸回転方向Ｗに測って１８０度の位置とした例が示してあるが、図７〜図９から、クランク軸軸線Ｃを中心とし、クランクピン方向Ｐから、クランク軸の回転方向Ｗに測って９０度〜２２５度の範囲、即ち図示の範囲Ｅの中に入るようにトルク伝達キー70を組み付ければ、他の方向に比して騒音を低減しうることがわかる。また、フラットキー70ａとラウンドキー70ｂとでは、ラウンドキー70ｂの方が騒音が低いことがわかる。
【００４０】
図１０は、駆動プーリ可動半体49等をクランク軸11に組付ける手順の説明図である。駆動プーリ可動半体49等をクランク軸11に組付ける場合には、組付けの前に、予め、図１０のクランク軸11とクランクピン14を除く部分全部を、可動半体組立て体79として一体的に組み立てておき、その組立て体79をクランク軸11の端部から装着する。可動半体組立て体79として一体のものとして組み立てる部材は、スリーブ64、駆動プーリ可動半体49、トルク伝達キー70、支持筒71、ボールベアリング72、スライドギヤ73、ねじ軸74、ねじ軸固定板75、ボールベアリング63、およびボールベアリング抜け止めリング、シール部材などである。この組立て体79をクランク軸11に装着する際の、クランクピン14に対するトルク伝達キー70の位相は、クランク軸11側のスプライン67とスリーブ64の端部のスプライン64ａとの周方向噛み合わせ位置に応じて決まる。クランク軸11への組付けに際しては、上記トルク伝達キー70の周方向位置が、所望の位置となるように組付けねばならない。
【００４１】
図１１は、可動半体組立て体79をクランク軸11に組付ける手順を示す図であって、組付けた後の状態をクランク軸11の軸端側から見た図である。図には部分的に、図１０のＨ−Ｈ断面、Ｋ−Ｋ断面が描いてある。この組付け手順説明図では、トルク伝達キー70はクランクピン方向Ｐから測って１８０度の位置に設置する例を示してある。クランク軸11の端面に、クランク軸軸線Ｃに対してクランクピン14側にポンチマーク99が付してある。一方、クランク軸軸線Ｃを挟んでトルク伝達キー70の反対側の可動半体49の前面に、不滅インクマーク100が付してある。クランク軸11への可動半体組立て体79のクランク軸11への装着に際しては、上記ポンチマーク99と不滅インクマーク100とが、クランク軸軸線Ｃに対して同一方向となるように組立て体79を装着すれば、クランク軸軸線Ｃを挟んでクランクピン14の反対側にトルク伝達キー70を位置させることができる。なお、不滅インクは容易に消えないインクのことであるが、不滅インクの代わりにラッカー、ペイント等を用いてもよい。
【００４２】
上記実施例は、可動半体の中心に近い場所に不滅インクマーク100を施した例を示した。このマークの場所は、可動半体組立て体79の前面のクランク軸軸線Ｃを挟んでトルク伝達キー70の反対側の線上であればどこでもよく、たとえばスリーブ64の端面に付したマーク100ｘ、あるいは可動半体フランジ部の外周上に付したマーク100ｙであってもよい。
【００４３】
図１２は、可動半体組立て体79をクランク軸11に組付ける手順の他の例を示す図であって、組付けた後の状態をクランク軸11の軸端側から見た図である。この例は、トルク伝達キー70を、クランクピン方向Ｐからクランク軸回転方向Ｗへ測って１３５度の方向に設けようとする場合の例である。ポンチマーク99はクランク軸11の端面のクランクピン方向Ｐに設けるものとしている。この時、不滅インクマーク100、100ｘ、100ｙ等は、トルク伝達キー70の方向からクランク軸回転方向Ｗの逆方向へ向けて１３５度の方向に付ける。クランク軸11に可動半体組立て体79を装着する際には、上記ポンチマーク99と不滅インクマーク100等が、クランク軸軸線Ｃに対して同一方向となるように組立て体79を装着すれば、トルク伝達キー70を所望の１３５度の位置に設置することができる。
【００４４】
一般に、ポンチマーク99をクランクピン方向Ｐに設けるものとすれば、トルク伝達キー70を、クランクピン方向Ｐからクランク軸回転方向Ｗへ測ってθ度の方向に設けようとする場合には、不滅インクマーク100は、トルク伝達キー70の位置からクランク軸の回転方向Ｗの逆方向へ測ってθ度の方向に付ける。可動半体組立て体79をクランク軸11に装着する際には、ポンチマーク99と不滅インクマーク100とが同じ方向となるようにして、スプライン67、64ａを噛み合わせればよいことになる。
【００４５】
なお、可動半体49の外縁部に不滅インクマーク100ｙを設ける場合には、不滅インクマーク100ｙとクランクピン14を両方とも同時に視野に入れることができるので、ポンチマーク99を省略し、不滅インクマーク100ｙの方向を直接クランクピン14の方向と一致するようにして、スプライン67、64ａを噛み合わせることもできる。
【００４６】
上記実施形態では、半月形のトルク伝達キーを用いた例を示した。
【図面の簡単な説明】
【００４７】
【図１】本発明に係るパワーユニット１の側面図である。
【図２】図１のＩＩ−ＩＩ断面図である。
【図３】駆動プーリ47とその駆動装置の断面展開図である。
【図４】トルク伝達キーにおける騒音発生メカニズムの説明図である。
【図５】クランク軸11の左半部の断面図である。
【図６】図５のＶＩ−ＶＩ断面図にクランクピン14の位置を示した図である。
【図７】トルク伝達キー70の組付け位置に関する実験結果を示すレーダーチャートである。
【図８】トルク伝達キー70の組付け位置に関する他の実験結果を示すレーダーチャートである。
【図９】上記実験に用いた２種類のトルク伝達キーの斜視図である。
【図１０】駆動プーリ可動半体49の組み付け状態の断面図である。
【図１１】駆動プーリ可動半体49をクランク軸11に組付けた状態をクランク軸軸端側から見た図であり、トルク伝達キー70をクランクピン方向Ｐからクランク軸回転方向Ｗへ向けて１８０度の位置に設ける例である。
【図１２】駆動プーリ可動半体49をクランク軸11に組付けた状態をクランク軸軸端側から見た図であり、トルク伝達キー70をクランクピン方向Ｐからクランク軸回転方向Ｗへ向けて１３５度の位置に設ける例である。
【符号の説明】
【００４８】
45…Ｖベルト変速機、47…駆動プーリ、48…駆動プーリ固定半体、49…駆動プーリ可動半体、49ａ…フランジ部、49ｂ…ボス部、64…スリーブ、64ａ…スリーブ端のスプライン、67…スプライン、68…キー溝、69…ガイド溝、70…トルク伝達キー、70ａ…フラットキー、70ｂ…ラウンドキー、71…支持筒、73…スライドギヤ、74…ねじ軸、75…ねじ軸固定板、79…可動半体組立て体、80…アクチュエータ、81…電動モータ、82…歯車減速機構、99…ポンチマーク、100…不滅インクマーク、ｈ…キーの頂面、ｅ…キーの頂面の側縁、ｇ…ラウンドキーの頂面の母線、ｓ…キーの側面。
【図１】
0004481322.tif 000002
【図２】
0004481322.tif 000003
【図３】
0004481322.tif 000004
【図４】
0004481322.tif 000005
【図５】
0004481322.tif 000006
【図６】
0004481322.tif 000007
【図７】
0004481322.tif 000008
【図８】
0004481322.tif 000009
【図９】
0004481322.tif 000010
【図１０】
0004481322.tif 000011
【図１１】
0004481322.tif 000012
【図１２】
0004481322.tif 000013